(57)【要約】【課題】車両用ＬＥＤの調色と調光を１つの調光操作で可能にする照明機器を提供する。【解決手段】本発明に係る装置は、1つのＬＥＤと前記ＬＥＤに直列に接続した制御回路で構成したものを最小ユニットとし、前記ＬＥＤと色の異なったＬＥＤと制御回路の組み合わせのユニットを複数並列に接続、それを１つの操作信号から前記複数並列に接続された制御回路に信号を流す事で複数種のＬＥＤ発光色と明るさを同時に変化させる機能を備えることを特徴とする。【選択図】図１
2014103078.tif 000002
【特許請求の範囲】
【請求項１】
ＬＥＤ点灯回路で、色温度の異なる複数のＬＥＤと複数の制御回路を有し、１種類の入力信号で調色と調光を同時に変化させることを可能とする事を特徴とする車両用ＬＥＤ照明装置。
【請求項２】
前記制御回路は、少なくとも２つ以上の制御回路とそれに合わせて２色以上の異なったＬＥＤを持ち、入力信号に対して２つ以上の制御回路が其々ＬＥＤに流す電流を調整することで、複数段階にＬＥＤを調光させることが出来ることを特徴とする請求項１の車両用ＬＥＤ照明装置。
【請求項３】
一つの操作器により、電圧が連続して変化する一つの調光信号を受けて、予め設定したＶ１、Ｖ２、Ｖ３の各電圧（Ｖ１＜Ｖ２＜Ｖ３）を変化の開始点、及び終始点とするＰＷＭ制御方式による調光制御回路により色温度の異なる光源を調光することにより、連続的に色と明るさを変化することを特徴とする車両用ＬＥＤ照明装置。
【請求項４】
従来の蛍光灯やＬＥＤ室内灯用に現行使用されている操作器で、請求項１〜３を満足させることができる車両用ＬＥＤ照明装置。
【発明の詳細な説明】
【技術分野】
【０００１】
本発明は、車両用に使用するＬＥＤ点灯の制御回路、及び車両用照明装置に関するものである。
【背景技術】
【０００２】
従来、車両用の照明にはインバータ回路を備えた蛍光灯具が使用されており、路線バスや観光バスでは、インバータの出力を制御することで、蛍光灯の調光を行っている。
【０００３】
近年、バスにもＬＥＤを使用した点灯装置が採用されており、この種の点灯装置にはＬＥＤの調光制御装置が実装されており、運転席のスイッチを操作する事で昼夜等の周囲の状況に合わせて車内の明るさを変えていた。
【０００４】
前述のように、ＬＥＤの明るさを変える機能を備えるものは製品化されているが、明るさが変わると同時にＬＥＤの発光色も変化する製品は、車両用の照明としては実用化されていない。
【０００５】
これに対し、家電製品は数多くの操作釦を配しシーンによって色の変更や調光を変えることが出来るよう多機能な製品が出ているが、バス等の車両に於いては主に照明の操作は運転手が行っている為、多くの操作釦は様々なシーンを作り出すことが出来るが、走行中若しくは停車中の操作は複雑になり安全上で問題がある。
【０００６】
又、車内は限られたスペースしかなく、多くの操作釦を配する場所に苦慮する。その対策は、操作釦を赤外線や無線電波を使ったワイヤレス方式を採用する事で実現できるが、他機器へのノイズ混入や相互干渉、及びコストが高くなる。といった問題がある。
【発明の概要】
【発明が解決しようとする課題】
【０００７】
上記の問題を鑑み、本発明は１つの操作で複数色の調色と調光を同時に実現させることで車内空間の光の演出を簡単に行うことができることを特徴とする車両用ＬＥＤ調光回路である。
【課題を解決するための手段】
【０００８】
本発明に係る装置は、1つのＬＥＤと前記ＬＥＤに直列に接続した制御回路で構成したものを最小ユニットとし、前記ＬＥＤと色の異なったＬＥＤと制御回路の組み合わせのユニットを複数並列に接続、それを１つの操作信号から前記複数並列に接続された制御回路に信号を流す事で複数種のＬＥＤ発光色と明るさを同時に変化させる機能を備えることを特徴とする。
【０００９】
一方のＬＥＤに接続される制御回路は、他方のＬＥＤに接続される制御回路と異なる入出力制御を備えることで、一つの操作信号だけで調色と調光を組み合わせることを可能とする。
【００１０】
又、光センサ等の外部信号を配することで、自動で調色と調光をさせることも可能で、観光バスの用途例としては、運転手がスイッチ操作しなくても日中は昼光色のような明るい色でより明るくし、夜間時には色温度の低い電球色の色合いにし車内空間の雰囲気を変えることも可能とする。
【発明の効果】
【００１１】
以上のように本発明は、多くの操作を必要とせず、１つの操作信号でＬＥＤの色や調光を変える事が可能な照明装置を提供することができる。
【００１２】
従来のバスの照明は単色の白色ＬＥＤしかなかった為、明るさを変えるだけしか出来なかったが、本発明は、明るさに加え発光色も同時に変える事が容易にできる為、使用例としてツアー旅行等に利用する時には朝の出発の時は白い光で明るく車内を点灯させて、夜の帰路には電球色の光で柔らかで落ち着いた車内空間を演出し、旅の疲れを癒して頂くような乗客サービスを提供することが出来る。
【図面の簡単な説明】
【００１３】
【図１】本発明の実施の形態１に係る照明装置及び調光装置の概略構成を示すブロック図である。
【図２】図１における調色・調光回路の一例のタイミングチャート図である。
【図３】２色以上の調色を実現させる実施例のブロック図である。
【実施例】
【００１４】
図１は本発明の実施例をブロック図により示した図で、少なくとも１つ以上の光源となるＬＥＤ３とそれに直列に制御回路２を備え、一つのユニットとして構成し、そのユニットと並列になるように制御回路４を接続し、操作器１の信号を受けるように接続する。
【００１５】
操作器１の入力信号に対して、制御回路２と制御回路４の出力は其々異なるように設定しておく。その出力に従ってＬＥＤ３及びＬＥＤ５がそれぞれ指定の明るさで点灯する事になる。
【００１６】
具体的な事例として、図２のタイミングチャート図で示すと、図１のＬＥＤ３に白色ＬＥＤを使い、前記白色ＬＥＤに接続される制御回路２は操作器１の入力をV1→V2に変化させた時に前記白色ＬＥＤ３が100%→0%に明るさが変化するように設定する。
【００１７】
次に図１のＬＥＤ５に電球色ＬＥＤを使い、制御回路４は操作器１の信号をV1→V2に変化させた時でも前記電球色ＬＥＤ５を100%のまま変化しないように設定する。操作器１の信号をV2→V3に変化させた時には前記電球色ＬＥＤ５を100%→0%に明るさを変化するように設定する。
【００１８】
以上の設定を行う事で、操作器１の信号をV1→V2に変化させた時には、白色ＬＥＤ３は100%→0%に調光、電球色ＬＥＤ５は100%点灯維持する事で、全体の色あいと明るさが同時に変化し、操作器１の信号がV2になった時には白色ＬＥＤ３が消灯し、電球色ＬＥＤ５のみが100%点灯する。この時、照明は100%電球色で点灯する。
【００１９】
その後、操作器１の信号をV2→V3に変化させると白色ＬＥＤは消灯のままで、電球色ＬＥＤが100%→0%に調光する。
【００２０】
以上の動作をさせることで、1つの操作器１をV1→V3に変化させるだけで、調色と調光を変えることを可能とする。
【００２１】
前述の実施例では、白色ＬＥＤと電球色ＬＥＤとそれぞれの前段に接続する制御回路を設ける事で、２色での調色と調光を連続的に変化させる事例であるが、図３のように２色以上のＬＥＤと前記ＬＥＤにそれぞれ別々に入出力を設定した制御回路を設ける事で、多色の調色と調光を１つの操作信号で実現することが可能となる。
【符号の説明】
【００２２】
１  操作器
２  制御回路
３  ＬＥＤ光源
４  制御回路
５  ＬＥＤ光源
６  操作器
７  制御回路
８  ＬＥＤ光源
９  制御回路
１０  ＬＥＤ光源
１１  制御回路
１２  ＬＥＤ光源
【図１】
2014103078.tif 000003
【図２】
2014103078.tif 000004
【図３】
2014103078.tif 000005